(57)【要約】【課題】格子を容易に製作することができる格子用金具を提供する。【解決手段】複数の棒材２１が隙間を空けて並ぶ格子２０に用いる格子用金具１０は、複数の棒材２１に跨る大きさを有する板状部１１と、板状部１１から立ち上がる３本以上の櫛歯１３を有し、隣り合う櫛歯１３間の隙間１４の各々に棒材２１が挿入される櫛状部１２とを備え、板状部１１では、隙間１４に挿入された棒材２１が当接する領域に、挿入された棒材２１を板状部１１に固定するビス又はネジなどの固定部品１５を通すための棒材固定用挿通部１１ａが形成されている。【選択図】図１
2020183629.tif 000002
【特許請求の範囲】
【請求項１】
複数の棒材が隙間を空けて並ぶ格子に用いる格子用金具であって、
前記複数の棒材に跨る大きさを有する板状部と、
前記板状部から立ち上がる３本以上の櫛歯を有し、隣り合う櫛歯間の隙間の各々に前記棒材が挿入される櫛状部とを備え、
前記板状部では、前記隙間に挿入された棒材が当接する領域に、前記挿入された棒材を前記板状部に固定するビス又はネジなどの固定部品を通すための棒材固定用挿通部が形成されている、格子用金具。
【請求項２】
前記板状部では、前記隙間の各々に挿入された棒材が当接しない領域に、前記格子の取付対象物に前記板状部を固定するビス又はネジなどの固定部品を通すための格子固定用挿通部が形成されている、請求項１に記載の格子用金具。
【請求項３】
請求項１又は２に記載の格子用金具と、
前記格子用金具において前記櫛歯間の隙間に挿入された状態で前記板状部に固定された複数の棒材とを備えた、格子。
【発明の詳細な説明】
【技術分野】
【０００１】
本発明は、格子に用いる格子用金具等に関する。
【背景技術】
【０００２】
建築物などにおいて、家屋の外側に目隠しを設けたり、家屋の床などに通気口を設けたりするなど様々な目的で格子が利用されている。格子を製作するためには、複数の棒材を所定のピッチで固定する必要がある。特許文献１には、二重格子のような枠組構造体が記載されている。この枠組構造体では、水平梁部材に形成された複数の切欠部の各々に縦枠部材が挿通されている。
【先行技術文献】
【特許文献】
【０００３】
【特許文献１】特許第５７０１１４７号公報
【発明の概要】
【発明が解決しようとする課題】
【０００４】
ところで、特許文献１に記載の枠組構造体では、水平梁部材に形成された複数の切欠部により縦枠部材のピッチが決まる。この場合、水平梁部材に対し正確な位置に各切欠部を形成する作業に手間を要する。
【０００５】
本発明は、このような事情に鑑みてなされたものであり、格子を容易に製作することができる格子用金具を提供することを目的とする。
【課題を解決するための手段】
【０００６】
上述の課題を解決するべく、第１の発明は、複数の棒材が隙間を空けて並ぶ格子に用いる格子用金具であって、複数の棒材に跨る大きさを有する板状部と、板状部から立ち上がる３本以上の櫛歯を有し、隣り合う櫛歯間の隙間の各々に棒材が挿入される櫛状部とを備え、板状部では、隙間に挿入された棒材が当接する領域に、挿入された棒材を板状部に固定するビス又はネジなどの固定部品を通すための棒材固定用挿通部が形成されている、格子用金具である。
【０００７】
第２の発明は、第１の発明において、板状部では、隙間の各々に挿入された棒材が当接しない領域に、格子の取付対象物に板状部を固定するビス又はネジなどの固定部品を通すための格子固定用挿通部が形成されている。
【０００８】
第３の発明は、第１又は第２の発明の格子用金具と、格子用金具において櫛歯間の隙間に挿入された状態で板状部に固定された複数の棒材とを備えた、格子である。
【発明の効果】
【０００９】
本発明では、格子における棒材のピッチが、格子用金具における櫛歯の幅寸法により決まる。そのため、格子用金具を予め準備しておけば、棒材のピッチを設計値にするための加工を格子２０の構成材に対し行うことなく、櫛歯間の隙間の各々に棒材を挿入するだけで、棒材のピッチを設計値に容易に合わせることができる。また、板状部の棒材固定用挿通部を利用して、板状部に棒材を容易に固定することができる。本発明によれば、現場において容易に格子を製作することができる。
【図面の簡単な説明】
【００１０】
【図１】図１（ａ）は、本実施形態に係る格子用金具の斜視図であり、図１（ｂ）は、格子用金具を長手方向に見た側面図である。
【図２】図２（ａ）は、所定のピッチで並べた複数の棒材に格子用金具の各櫛歯を挿入する前の斜視図であり、図２（ｂ）は、複数の棒材に格子用金具の各櫛歯を挿入した状態の斜視図である。
【図３】図３は、床に格子を取り付けて通風口を形成した状態の断面図である。
【発明を実施するための形態】
【００１１】
以下、図１−図３を参照しながら、本発明の実施形態を詳細に説明する。なお、以下の実施形態は、本発明の一例であって、本発明、その適用物、あるいはその用途の範囲を制限することを意図するものではない。
【００１２】
［格子用金具の構成］
本実施形態に係る格子用金具１０は、複数の棒材２１（例えば、矩形断面の木材（角材））が隙間を空けて並ぶ格子２０（例えば、木製ガラリ）に用いる金具である。格子２０は、家屋の床や壁などに通気口を形成するため等に用いることができる。格子用金具１０は、図１及び図２に示すように、複数の棒材２１に跨る大きさを板状部１１と、板状部１１から立ち上がる３本以上（本実施形態では５本）の櫛歯１３を有する櫛状部１２とを備えている。
【００１３】
板状部１１は、略矩形の板状に形成されている。格子２０の製作に格子用金具１０を用いる際は、図２に示すように、板状部１１の長手方向が格子２０の幅方向に合わせられる。板状部１１は、格子２０の幅方向における両端の棒材２１から突出するだけの長さを有する。また、板状部１１には、図１（ａ）に示すように、板状部１１に棒材２１を固定するビスを通す複数の棒材固定用貫通孔１１ａ（棒材固定用挿通部）と、格子２０の取付対象物（例えば床や壁面など）に板状部１１を固定するビスを通す複数の格子固定用貫通孔１１ｂ（格子固定用挿通部）とが形成されている。各貫通孔１１，１１ｂについての詳細は後述する。
【００１４】
櫛状部１２は、格子２０の棒材２１の数より１つ多い数の櫛歯１３を有する。櫛状部１２の各櫛歯１３は、板状部１１に一体形成されており、板状部１１おける長手方向の一片から略垂直に立ち上がる。各櫛歯１３の先端側の両角は、面取りがなされている。
【００１５】
櫛状部１２では、各櫛歯１３が略矩形の板状に形成されている。各櫛歯１３の長さは互いに等しい。また、板状部１１の長手方向における両端の櫛歯１３を除く３本の櫛歯１３は、幅が互いに等しく、格子２０における棒材２１間の隙間を規定する。また、板状部１１の長手方向における両端の櫛歯１３は、幅が互いに等しい。なお、複数の櫛歯１３における幅寸法の関係は、本実施形態に限定されず、格子２０の設計に応じて任意に設定することができる。
【００１６】
複数の棒材固定用貫通孔１１ａは、図１（ａ）に示すように、板状部１１の長手方向に沿って間隔を空けて並んでいる。各棒材固定用貫通孔１１ａは、図１（ｂ）に示すように、櫛歯１３が立ち上がる方とは反対側に広がるように形成された皿穴である。各棒材固定用貫通孔１１ａは、隣り合う櫛歯１３間の隙間１４に挿入された各棒材２１が当接する領域（板状部１１の長手方向において隙間１４に対応する領域）に形成されている。
【００１７】
複数の格子固定用貫通孔１１ｂは、板状部１１の長手方向に沿って間隔を空けて並んでいる。格子固定用貫通孔１１ｂの位置は、棒材固定用貫通孔１１ａの位置に対し板状部１１の幅方向にずれている。各棒材固定用貫通孔１１ａは、深さ方向に直径が一定の穴である。各棒材固定用貫通孔１１ａは、格子２０が完成した状態で隙間１４の各々に挿入された棒材２１が何れも当接しない領域（板状部１１の長手方向において櫛歯１３に対応する領域）に形成されている。
【００１８】
［格子用金具の使用方法］
格子用金具１０を用いた格子２０の製作方法について説明を行う。
【００１９】
格子用金具１０を用いて格子２０を製作する際は、図２（ａ）に示すように、格子２０を構成する複数の棒材２１について、両端の位置を揃え、且つ、間隔を空けて、床などの平坦面上に並べる。そして、各櫛歯１３の先端側を下側に向けて、複数の棒材２１の上方に格子用金具１０を持っていき、隣り合う棒材２１間の隙間の各々に、各櫛歯１３が挿入されるように、格子用金具１０を下側に移動させる。格子用金具１０は、図２（ｂ）に示すように、板状部１１の下面が各棒材２１の上面に当接する状態になるまで下側に移動させる。
【００２０】
この状態で、各棒材固定用貫通孔１１ａに対しビス１５（固定部品）をそれぞれ通し、各ビス１５を棒材２１にねじ込む。これにより、各棒材２１が板状部１１に固定される。
【００２１】
格子２０は、図３に示すように、床３０の開口部３１に取り付けることにより、通風口３２を形成することができる。具体的に、図３では、大引き（又は根太）などの床下構造物３５（格子２０の取付対象物）上に、下地合板３６とフローリング材３７（例えば、無垢材）が下側から順番に積層されている。そして、下地合板３６とフローリング材３７に、床下構造物３５が横断するように矩形の開口部３１が形成されている。床下構造物３５上には、高さ調節用のパッキン３８を介して、格子用金具１０側が下側となるように格子２０が設置されている。また、各格子固定用貫通孔１１ｂには、ビス１５（固定部品）がそれぞれ通されて、パッキン３８を介して、床下構造物３５に各ビス１５がねじ込まれている（図示省略）。
【００２２】
［本実施形態の効果等］
本実施形態では、格子２０における棒材２１のピッチが、格子用金具１０における櫛歯の幅寸法により決まる。そのため、格子用金具１０を予め準備しておけば、棒材２１のピッチを設計値にするための加工を格子２０の構成材に対し行うことなく、櫛歯１３間の隙間１４の各々に棒材２１を挿入するだけで、棒材２１のピッチを設計値に容易に合わせることができる。また、板状部１１の棒材固定用貫通孔１１ａを利用して、板状部１１に棒材２１を容易に固定することができる。本実施形態によれば、現場において格子２０を容易にしかも安価に製作することができる。また、床の色に格子２０の色が合うように、見切り材を用いて、工務店で容易に格子２０を製作できるようにもなる。
【００２３】
また、本実施形態では、各棒材２１が、２本の櫛歯１３により挟まれて回転が拘束される。ここで、複数の棒材の各々を直交する部材にビス止めしただけでは、棒材が反ったり捩じれたりする。それに対し、本実施形態では、各棒材２１が回転できないため、反りやねじれが軽減される。また、格子用金具１０を介して複数の棒材２１が一体化される。本実施形態によれば、格子２０の強度を向上させることもできる。
【００２４】
［その他の実施形態］
上述の実施形態において、棒材２１は、角材に限定されず、例えば円形断面の棒材を用いてもよい。また、棒材２１に、金属製や樹脂製の棒材を用いてもよい。
【００２５】
上述の実施形態において、格子２０はルーバーであってもよい。
【００２６】
上述の実施形態では、各貫通孔１１ａ，１１ｂに通す固定部品がビスであったが、ネジ又は釘など他のものであってもよい。また、各貫通孔１１ａ，１１ｂの代わりに、棒材固定用挿通部又は格子固定用挿通部を切欠きとしてもよい。
【産業上の利用可能性】
【００２７】
本発明は、格子に用いる格子用金具等に適用可能である。
【符号の説明】
【００２８】
１０    格子用金具
１１    板状部
１１ａ  棒材固定用貫通孔（棒材固定用挿通部）
１１ｂ  格子固定用貫通孔（格子固定用挿通部）
１２    櫛状部
１３    櫛歯
１４    隙間
１５    固定部品
【図１】
2020183629.tif 000003
【図２】
2020183629.tif 000004
【図３】
2020183629.tif 000005